(57)【要約】【課題】室内温度センサ異常発生時にまず異常停止し、応急運転の入力がない限り、運転を再開することができず、グループ制御時は異常のない室内機まで異常停止させ使用者が不快に感じるという課題を有していた。【解決手段】本発明の空気調和機のリモコンは、リモコンに異常判定手段６を備えたものであり、グループ制御された室内機のうち異常発生した室内機のみを異常停止することを特徴としたものであり、これにより使用者の不快感を低減させることができる。【選択図】図１
2008209014.tif 000002
【特許請求の範囲】
【請求項１】
リモコンからリモコン線を複数の室内機に接続し、グループ制御を行う空気調和機のリモコンにおいて、室内機をリモコンでグループ制御するためのリモコン線と、親機と少なくとも１台以上の子機とで設定された室内機と、室内機からの異常を受け異常内容を判定したときに保護運転可能かどうか判定する異常内容判定手段とを備えたことを特徴とする空気調和機のリモコン。
【請求項２】
室内機が保護運転可能な異常の場合、リモコンから保護運転の操作を行うことができる保護運転操作ＳＷを備えたことを特徴とする請求項１に記載の空気調和機のリモコン。
【請求項３】
グループ制御されている室内機の中で異常が発生している室内機を確認することができる表示手段を備えたことを特徴とする請求項１に記載の空気調和機のリモコン。
【請求項４】
グループ制御されている室内機の中で異常が発生している室内機を音で確認することができるブザーを備えたことを特徴とする請求項１に記載の空気調和機のリモコン。
【請求項５】
グループ制御されている室内機の中で異常が解除したときに異常をリセットすることができる異常リセットＳＷを備えたことを特徴とする請求項１に記載の空気調和機のリモコン。
【発明の詳細な説明】
【技術分野】
【０００１】
本発明は、リモコン線で複数台の室内機を接続し、グループ制御を行う空気調和機のシステムのリモコンに関するものである。
【背景技術】
【０００２】
従来、この種の空気調和機の制御装置としては、図６に示すように、室内温度センサの異常を検知して異常停止した後に、応急運転スイッチの入力を受け付けると、室内温度センサの検出温度を所定温度に置き換えて、応急的な運転を可能とするものがあった（例えば、特許文献１参照）。
【特許文献１】特開平５−１８７６８３号公報
【発明の開示】
【発明が解決しようとする課題】
【０００３】
しかしながら、前記従来の構成では、室内温度センサ異常発生時にまず異常停止し、応急運転の入力がない限り、運転を再開することができず、グループ制御時は異常のない室内機まで異常停止させ使用者が不快に感じるという課題を有していた。
【０００４】
本発明は、前記従来の課題を解決するもので、グループ制御時でもリモコンが異常内容を判断するこができ、グループ制御された異常のある室内機だけを停止させるので、使用者の不快感を低減させた空気調和機のリモコンを提供することを目的とする。
【課題を解決するための手段】
【０００５】
前記従来の課題を解決するために、本発明の空気調和機のリモコンは、リモコンに異常判定手段を備えたものであり、グループ制御された室内機のうち異常発生した室内機のみを異常停止することを特徴としたものである。これにより使用者の不快感を低減させることができる。
【発明の効果】
【０００６】
本発明の空気調和機のリモコンは、グループ制御された室内機のうち異常発生した室内機のみを異常停止することができるので、使用者の不快感を低減させることができる。
【発明を実施するための最良の形態】
【０００７】
第１の発明は、室外機と室内機とを通信線で接続されたシステムがあって、このシステムの室内機をリモコン線でグループ制御し、リモコンに異常判定手段を設けることにより、異常が発生した室内機のみを異常停止するので使用者の不快感を低減させることができる。
【０００８】
第２の発明は、特に第１の発明のリモコンに、保護運転操作ＳＷを備えたことにより、ユーザーが異常発生した室内機を保護運転させる事ができる。
【０００９】
第３の発明は、特に第１の発明のリモコンに、表示手段を設けたことにより、異常のある室内機のみの異常を表示させることができる。
【００１０】
第４の発明は、特に第１の発明のリモコンに、ブザーを設けたことにより、異常のある室内機のみの異常を音で知らせることができる。
【００１１】
第５の発明は、特に第１の発明のリモコンに、異常リセットＳＷを設けたことにより、
異常が解除したときに操作すると、異常が解除させることができる。
【００１２】
（実施の形態１）
図１は、本発明の実施の形態１における空気調和機のシステムのブロック図である。同図の空気調和機のシステムにおいて、室外機Ａと室内機（親機）のシステム１と、室外機Ｂと室内機（子機ａ）のシステム２と、室外機Ｃと室内機（子機ｂ）のシステム３と、システムを操作するリモコン４と、リモコン４から室内機に通信するリモコン線５と、リモコン４に搭載された異常時に異常内容を判定する異常判定手段６とから構成されている。以上のように構成された空気調和機のリモコンについて、以下その動作、作用を説明する。
【００１３】
まずリモコン４からリモコン線５により、それぞれの室内機に接続されたグループ制御のシステムにおいて、あるシステムから異常が発生した場合、リモコン４が異常を検知し、異常判定手段６により異常が発生したシステムの室内機のみを異常停止することができる。
【００１４】
以上のようにリモコン４に搭載された異常判定手段６が、異常が発生したシステムの室内機のみを異常停止することができるので、全システムを異常停止することなく使用者の不快感を低減させることができる。
【００１５】
（実施の形態２）
図２は、本発明の第２の実施の形態の空気調和機のシステムのブロック図である。本発明の第１の実施の形態で示した空気調和機のリモコンに保護運転操作ＳＷ７を搭載した空気調和機のリモコンである。
【００１６】
以上のように構成された空気調和機のリモコンについて、以下その動作、作用を説明する。
【００１７】
まず、あるシステムから異常が発生の場合、システムに支障がない異常と判断した場合、保護運転操作ＳＷ７の入力により保護運転を行う。
以上のようにリモコン４に搭載された保護運転操作ＳＷ７の操作を行うことで、異常が発生している室内機の保護運転をすることができる。
【００１８】
（実施の形態３）
図３は、本発明の第３の実施の形態の空気調和機のシステムのブロック図である。本発明の第１の実施の形態で示した空気調和機のリモコンに表示手段８を搭載した空気調和機のリモコンである。
【００１９】
以上のように構成された空気調和機のリモコンについて、以下その動作、作用を説明する。
【００２０】
まず、グループ制御されたシステムにおいて、あるシステムから異常が発生した場合、表示手段８により、異常の発生した室内機を表示させる。
以上のようにリモコン４に表示手段８を備えたことにより、異常のある室内機のみを表示させることができる。
【００２１】
（実施の形態４）
図４は、本発明の第４の実施の形態の空気調和機のシステムのブロック図である。本発明の第１の実施の形態で示した空気調和機のリモコンにブザー９を搭載した空気調和機のリモコンである。
【００２２】
以上のように構成された空気調和機のリモコンについて、以下その動作、作用を説明する。
【００２３】
まず、グループ制御されたシステムにおいて、あるシステムから異常が発生した場合、ブザー９により、異常の発生した室内機を音で知らせる。
【００２４】
以上のようにリモコン４にブザー９を備えたことにより、異常のある室内機のみを音で確認することができる。
【００２５】
（実施の形態５）
図５は、本発明の第５の実施の形態の空気調和機のシステムのブロック図である。本発明の第１の実施の形態で示した空気調和機のリモコンに異常リセットＳＷ１０を搭載した空気調和機のリモコンである。
【００２６】
以上のように構成された空気調和機のリモコンについて、以下その動作、作用を説明する。
【００２７】
まず、グループ制御されたシステムにおいて、あるシステムから異常が発生し、異常が解除した場合、異常リセットＳＷ１０により、異常の解除を行う。
以上のようにリモコン４に異常リセットＳＷ１０を備えたことにより、異常解除した室内機はＳＷのみで異常を解除することができる。
【産業上の利用可能性】
【００２８】
以上のように、本発明にかかる空気調和機のリモコンは、リモコンに異常判定手段を設けているので、異常が発生した室内機のみを異常停止するので使用者の不快感を低減させることができるものである。
【図面の簡単な説明】
【００２９】
【図１】本発明の実施の形態１における空気調和機のシステムのブロック図
【図２】本発明の実施の形態２における空気調和機の構成ブロック図
【図３】本発明の実施の形態３における空気調和機の構成ブロック図
【図４】発明の実施の形態３における空気調和機の構成ブロック図
【図５】本発明の実施の形態３における空気調和機の構成ブロック図
【図６】従来の空気調和機における構成ブロック図
【符号の説明】
【００３０】
１  室外機Ａと室内機（親機）のシステム１
２  室外機Ｂと室内機（子機ａ）のシステム２
３  室外機Ｃと室内機（子機ｂ）のシステム３
４  リモコン
５  リモコン線
６  異常判定手段
７  保護運転操作ＳＷ
８  表示手段
９  ブザー
１０  異常リセットＳＷ
【図１】
2008209014.tif 000003
【図２】
2008209014.tif 000004
【図３】
2008209014.tif 000005
【図４】
2008209014.tif 000006
【図５】
2008209014.tif 000007
【図６】
2008209014.tif 000008